(57)【要約】【課題】本発明は、蔓性植物が電柱へ巻き付くことを防止する蔓性植物巻き付き防止具及び蔓性植物巻き付き防止方法を提供することを課題とする。【解決手段】本発明の蔓性植物巻き上がり防止具１は、電柱２の一部分の側面を覆うことができる長さを有すると共に光不透過性材料により形成されたシート部材４と、シート部材４を電柱２の側面に巻き付けた状態でシート部材４を外側から固定する固定バンド５とを備えることを特徴とする。【選択図】図２
2008035686.tif 000002
【特許請求の範囲】
【請求項１】
電柱本体の側面に配設される対象物に蔓性植物が巻き付くのを防止する蔓性植物巻き付き防止具であって、
前記電柱本体の側面の少なくとも一部分と前記対象物の少なくとも一部分とを覆う光不透過性のカバー部材と、
前記カバー部材を前記電柱の側面に固定する固定部と、を備える
蔓性植物巻き付き防止具。
【請求項２】
前記カバー部材は、前記電柱本体と前記対象物と自身との間を隙間無く覆う、
請求項１に記載の蔓性植物巻き付き防止具。
【請求項３】
前記カバー部材は、変形可能な弾性部を有し、該弾性部が前記電柱本体および前記対象物の外形に沿って変形することにより、前記電柱本体と前記対象物と自身との間を隙間無く覆う、
請求項２に記載の蔓性植物巻き付き防止具。
【請求項４】
前記カバー部材は、前記電柱本体および前記対象物の外形に沿う形状を有することにより、該電柱本体と該対象物と自身との間を隙間無く覆う、
請求項２または３に記載の蔓性植物巻き付き防止具。
【請求項５】
前記カバー部材は、長手方向の一端側から他端側へ前記蔓性植物が成長できない所定の長さを有する、
請求項１から４の何れかに記載の蔓性植物巻き付き防止具。
【請求項６】
前記所定の長さは、６０ｃｍ以上である、
請求項５に記載の蔓性植物巻き付き防止具。
【請求項７】
前記カバー部材は、表面が平滑に形成されている、
請求項１から６の何れかに記載の蔓性植物巻き付き防止具。
【請求項８】
電柱本体の少なくとも一部分の側面を覆うことができる長さを有すると共に光不透過性材料により形成されたシート部材と、
前記シート部材を前記電柱の側面に巻き付けた状態で前記シート部材を固定する固定部とを備えることを特徴とする蔓性植物巻き付き防止具。
【請求項９】
前記シート部材の縦幅は、６０ｃｍ以上であることを特徴とする請求項８に記載の蔓性植物巻き付き防止具。
【請求項１０】
前記シート部材の表面は平滑に形成されていることを特徴とする請求項８又は９に記載の蔓性植物巻き付き防止具。
【請求項１１】
電柱に巻き付く蔓性植物の巻き上がりを防止する方法であって、
光不透過性材料により形成されたシート部材にて、電柱本体の少なくとも一部分の側面を覆うことを特徴とする蔓性植物巻き付き防止方法。
【発明の詳細な説明】
【技術分野】
【０００１】
本発明は、電柱本体への蔓性植物の巻き上がりを防ぐ技術に関する。
【背景技術】
【０００２】
山野や植物が繁茂した場所に立設された電柱には、葛や蔦等の蔓性植物が巻き付く場合がある。特に、蔓性植物が、地上から電柱の上部まで斜めに張架されている支線に巻き付いて電柱の上部まで巻き上がると、地絡事故や短絡事故を引き起こしたり、架設作業に支障を来したりすることがある。
【０００３】
そのため、支線に巻き付く蔓性植物の巻き上がりを防止するための装置として特許文献１〜４に記載のような各種装置が発明された。これらの装置は、支線に取り付ける装置であり、全体の形状が円筒型、お椀型、ロケット型等、装置内部に支線を挿通して取り付けるタイプのものであった。
【０００４】
これらの装置を支線に取り付けることにより、蔓性植物が支線に巻き付いて電柱の上部まで這い上がる進路を阻むことができる。
【特許文献１】特開平１１−３５０７９１号公報
【特許文献２】特開２００３−４７３８７号公報
【特許文献３】特開平１１−９５号公報
【特許文献４】実開昭５６−３２９２６号公報
【発明の開示】
【発明が解決しようとする課題】
【０００５】
しかしながら、電柱には、地上から電柱の上部まで斜めに張架されている電力設備用の支線の他に、地上から電柱の中部まで斜めに張架されている通信設備用の支線が施設されている場合もある。通信設備の場合、蔓性植物が巻き上がっても設備事故につながるなど大きな支障がないため、上述したような蔓性植物の巻き上がりを防止するための装置を通信設備用の支線には施設しない場合が多い。
【０００６】
ところで、蔓性植物はある径以上のものには巻き上がらない性質があるので、通信設備用の支線を蔓性植物が巻き上がり電柱まで達しても、それ以上電柱を巻き上がることは一般的にない。しかしながら、電柱に蔓性植物が巻き付く足場となるようなもの（例えば、接地線や直付け街灯の電源供給用ケーブル）がある場合には、蔓性植物が電柱の上部まで巻き上がることがあった。
【０００７】
このように、通信設備用の支線を伝って巻き上がり、さらに電柱の上部まで繁茂してしまうことを防ぐためには、作業員が定期的に巡視し、蔓性植物が電柱の上部まで成長する前に発見し、伐採しなければならなかった。
【０００８】
そこで本発明は、蔓性植物が電柱へ巻き付くことを防止する防止具及び防止方法を提供することを課題とする。
【課題を解決するための手段】
【０００９】
本発明は、上記課題を解決するため、電柱本体の側面に配設される対象物に蔓性植物が巻き付くのを防止する蔓性植物巻き付き防止具であって、前記電柱本体の側面の少なくとも一部分と前記対象物の少なくとも一部分とを覆う光不透過性のカバー部材と、前記カバー部材を前記電柱の側面に固定する固定部と、を備える。
【００１０】
カバー部材が覆う対象物とは、電柱本体の側面に配設される、蔓性植物が巻き付く可能性のあるものであり、例えば、電柱本体の上部に取り付けられた変圧器等の送電機器の接地線や街灯の電源供給用ケーブル等である。
【００１１】
本発明に係る蔓性植物巻き付き防止具は、カバー部材が電柱本体の側面の少なくとも一部と対象物の少なくとも一部とを覆うことにより、この対象物に蔓性植物が巻き付きつくのを阻害する。なお、カバー部材は光不透過性の部材で構成されているため、カバー部材と電柱との間の隙間に入った蔓性植物の光合成も阻害する。これにより、蔓性植物が電柱の上部に伸びるのを防止する。
【００１２】
以上、本発明に係る蔓性植物巻き付き防止具によれば、上述した機能を有するカバー部材を固定部で電柱に取り付けることにより、蔓性植物が電柱に沿って成長するのを防止することができる。
【００１３】
また、前記カバー部材は、前記電柱本体と前記対象物と自身との間を隙間無く覆うようにしてもよい。
【００１４】
上述した蔓性植物巻き付き防止具のカバー部材は、光不透過性の部材で構成されている。従って、上述したように、電柱と対象物とカバー部材との間に蔓性植物が入り込んでもその成長を阻害できるが、カバー部材が電柱本体と対象物と自身との間を隙間無く覆うようにすることで、電柱と対象物とカバー部材との間に蔓性植物が入り込んで電柱の上部に成長するのを更に確実に防ぐことができる。
【００１５】
また、前記カバー部材は、変形可能な弾性部を有し、該弾性部が前記電柱本体および前記対象物の外形に沿って変形することにより、前記電柱本体と前記対象物と自身との間を隙間無く覆うようにしてもよい。
【００１６】
変形可能な弾性部をカバー部材が有していることにより、このカバー部材を電柱に取り付けた際、弾性部が電柱本体や対象物の外形に沿って変形する。これにより、電柱本体と対象物とカバー部材との間の隙間が無くなる。隙間が無くなることで、電柱本体と対象物とカバー部材との間に蔓性植物が入り込んで成長することを防ぐことができる。
【００１７】
また、前記カバー部材は、前記電柱本体および前記対象物の外形に沿う形状を有することにより、該電柱本体と該対象物と自身との間を隙間無く覆うようにしてもよい。
【００１８】
カバー部材が電柱本体および対象物の外形に沿う形状を有していることにより、このカバー部材を電柱に取り付けた際、電柱本体と対象物とカバー部材との間の隙間が無くなる。隙間がなくなることで、電柱本体と対象物とカバー部材との間に蔓性植物が入り込んで成長することを防ぐことができる。
【００１９】
また、前記カバー部材は、長手方向の一端側から他端側へ前記蔓性植物が成長できない所定の長さを有するようにしてもよい。
【００２０】
蔓性植物がカバー部材を超えて成長するルートとして、例えば、カバー部材と電柱との間の隙間に入って成長するルートと、カバー部材の外側を通って成長するルートと、が挙げられる。本発明に係るカバー部材は光不透過性の部材で構成されているため、カバー部材と電柱との間の隙間に入った蔓性植物の成長を阻害するが、カバー部材の長さが短いと蔓性植物の成長を十分に抑えられない。また、カバー部材の長さが短いと、対象物に巻き付いて成長する蔓性植物がカバー部材で覆われた対象物の部分を容易に乗り越えていくこ
とができてしまい、蔓性植物の成長を十分に抑えられない。
【００２１】
そこで、本発明に係るカバー部材が所定の長さを有するように構成することで、蔓性植物の成長をより確実に阻害することが可能となる。なお、所定の長さとは、カバー部材の長手方向の長さであり、例えば、カバー部材と電柱との間の隙間に入った蔓性植物、またはカバー部材の外側を通って成長しようとする蔓性植物の成長を十分に阻止可能な長さである。
【００２２】
また、前記所定の長さは、６０ｃｍ以上としてもよい。
【００２３】
カバー部材の長さが６０ｃｍ以上であることにより、カバー部材と電柱との間の隙間に入った蔓性植物やカバー部材の外側を通って成長しようとする蔓性植物の成長を十分に阻止することが可能となる。
【００２４】
また、前記カバー部材は、表面が平滑に形成されていてもよい。
【００２５】
蔓性植物が成長するルートとして、カバー部材の外側を通って成長するルートがあることは上述した通りである。ここで、カバー部材の表面が例えば凹凸状になっていると、この凹凸部分に蔓性植物が絡みついて成長し、蔓性植物の成長を十分に阻害することができない場合が考えられる。そこで、カバー部材の表面を平滑に形成することで、カバー部材の表面を這って成長しようとする蔓性植物が貼り付くのを防止し、蔓性植物の成長を阻害することが可能になる。
【００２６】
また、上記課題を解決するため、本発明は、電柱本体の少なくとも一部分の側面を覆うことができる長さを有すると共に光不透過性材料により形成されたシート部材と、シート部材を電柱の側面に巻き付けた状態でシート部材を固定する固定部とを備えることを特徴とする。
【００２７】
シート部材が覆う電柱本体の円周部分としては、接地線や直付け街灯の電源供給用ケーブルが配されている部分が好ましい。なぜなら、蔓性植物は、接地線や電源供給用ケーブルに巻き付いて電柱の上部まで這い上がっていくため、足場となるそれらの線が配されている部分を覆ってしまうことにより蔓性植物が巻き付き難くなる。
【００２８】
また、万が一、シート部材と電柱本体との間に蔓性植物が入り込んでしまった場合であっても、シート部材は光不透過性材料により形成されているため、入り込んだ蔓性植物の成長を阻むことができる。これにより、それ以上電柱の上部にまで蔓性植物が巻き上がっていくことを防ぐことができる。
【００２９】
尚、本発明に係るシート部材の縦長さは、６０ｃｍ以上であると好ましい。これは、シート部材の縦長さが６０ｃｍ以下（例えば４５ｃｍ）だと、万が一、シート部材と電柱との間に蔓性植物が侵入してしまった場合、例えシート部材が光不透過性材料であったとしても、蔓性植物の成長を食い止めることができず、シート部材の長さを超えて成長してしまうためである。また、シート部材の縦長さが６０ｃｍ以下（例えば４５ｃｍ）だと、電柱のシート部材より下の部分に繁茂した蔓性植物の先端が風にあおられ、シート部材を越えることがあり、電柱のシート部材より上の部分に蔓性植物が巻き付く足場となるようなものがあると、シート部材を超えて成長してしまうためである。
【００３０】
また、本発明に係るシート部材の表面は平滑に形成されているとより好ましい。シート部材の表面をツルツルとした平滑面に仕上げることで、蔓性植物がシート部材の上に這い上がってきても、シート部材表面には足場として引っ掛かる場所がないため蔓植物がシー
ト部材に巻き付くことが困難となる。
【００３１】
さらに、本発明は、電柱に巻き付く蔓性植物の巻き上がりを防止する方法であって、光不透過性材料により形成されたシート部材にて、電柱本体の少なくとも一部分の側面を覆うことを特徴とする蔓性植物巻き付き防止方法である。
【発明の効果】
【００３２】
本発明によれば、蔓性植物が電柱へ巻き付くことを防止する防止具及び防止方法を提供することが可能となる。
【発明を実施するための最良の形態】
【００３３】
以下、本実施形態における蔓性植物巻き付き防止具及び蔓性植物巻き付き防止方法について図面を参照し詳説する。
【００３４】
＜実施形態１＞
図１に示すように、本実施形態の蔓性植物巻き付き防止具１は、電柱２に取り付けられた柱上変圧器より下側の電柱本体に取り付けられている。これは、蔓性植物が柱上変圧器１次側の高圧線に絡みつくと地絡事故や短絡事故が起こりやすくなるため、蔓性植物が柱上変圧器周辺で繁茂することを防ぐためである。
【００３５】
図２に示すように、本実施形態の蔓性植物巻き付き防止具１は、電柱２の側面に巻き付けられるシート部材４と、このシート部材４を電柱の側面に巻き付けた状態でシート部材を固定する固定バンド５とを備えている。シート部材４は、電柱２に等間隔で設けられた足場ボルト（電線や柱上変圧器等の工事の際に作業員が電柱に上るための足場となるボルトのこと）の間に配されるようにするが、必要であれば、シート部材４を巻き付ける部分の足場ボルトを外す。
【００３６】
図３に示すように、シート部材４は、四角形に形成されている。シート部材４のサイズは、縦Ｔ＝９０ｃｍ、横Ｗ＝１ｍとすることができる。縦Ｔの値は足場ボルトが設けられている間隔が４５ｃｍであること及び蔓性植物がシート部材４と電柱２との間に侵入した場合等が考慮され、横Ｗの値は電柱２径が考慮されている。
【００３７】
また、シート部材４は、光不透過性材料により形成されている。これにより、シート部材４の内側に蔓性植物が入り込んだ場合であっても、シート部材４の下は光が透過しないため、蔓性植物の成長を阻むことができる。
【００３８】
さらに、シート部材４の表面は平滑に形成されている。つまり、シート部材４の表面には、蔓性植物が足場にするような引っ掛かり易い凹凸が無い。これにより、蔓性植物がシート部材４にまで巻きあがってきたとしても、それ以上上に蔓性植物が巻き上がることを防ぐことができる。
【００３９】
そして、このシート部材４は、図２に示すように、三本の固定バンド５にて固定される。尚、固定バンド５の本数や長さは、シート部材４の大きさや、シート部材４を巻き付ける部分の電柱径に応じて変更する。
【００４０】
また、固定バンド５は、ステンレスバンドを好適に用いることができる。ステンレスバンドを用いることにより、シート部材４を外側から締め付けるようにして固定することができる。これは、シート部材４は、上述したように、電柱２の側面に施設された接地線３や直付け街灯の電源供給用ケーブル（電柱に蔓性植物が巻き付く足場となるもの）を覆うように巻き付ける必要があり、また、シート部材４は、足場ボルトを取り外した部分に巻
き付ける場合がある。そのため、取り付け面は平滑であるとは限らず、シート部材４で電柱の側面を覆っても、シート部材４と電柱の側面との間に隙間ができてしまう場合がある。蔓性植物は、この隙間から侵入し這い上がる虞があるため、ステンレスバンドによりシート部材４を外側から締め付けて、この隙間をできるだけ無くすことによりそのような事態を未然に防ぐことができる。
【００４１】
また、固定バンド５を数本用いて、シート部材４を外側から締め付けることにより、電柱２の側面に巻き付けたシート部材４の終端部分が、風等により捲り上がってしまうことを防ぐことができる。
【００４２】
以上のように、本実施形態の蔓性植物巻き上がり防止具１によれば、蔓性植物が巻き上がり防止具１の外側から這い上がっても、内側から這い上がっても、それ以上上には伸びさせないようにすることができる。
【００４３】
また、本実施形態の蔓性植物巻き上がり防止具１は、シート状の部材（シート部材４）を用いるため、電柱に対する風圧加重の影響を極めて少なくすることができる。
【００４４】
尚、本実施形態では、シート部材４の外側から固定バンド５を締め付け電柱２の側面に固定する構造としているが、シート部材４に固定用部材が予め設けられている構造としてもよい。
【００４５】
＜実施形態１の変形例＞
以下、上述した第一実施形態の変形例について説明する。図４において、本変形例に係るシート部材４’を用いた蔓性植物巻き上がり防止具１’を示す。上述した第一実施形態に係るシート部材４は、固定バンド５を外側から巻き付けることで電柱２に固定されていた。本変形例に係る蔓性植物巻き上がり防止具１’は、シート部材４に固定バンド５を挿通する穴６を有している点で、第一実施形態と相違する。
【００４６】
図５において、本変形例に係るシート部材４’の正面図を示す。図５において示すように、シート部材４’は、固定バンド５を挿通する切込み状の穴６を上部、中部、および下部の左右に計６箇所、有している。電柱２にシート部材４’を固定する際、穴６に固定バンド５を予め挿通しておくことにより、固定バンド５とシート部材４’との位置合わせやシート部材４’の電柱２への巻き付けを容易にし、取付作業の作業性を向上させることができる。
【００４７】
なお、図５において示すように、本変形例に係るシート部材４’は、上述した第一実施形態に係るシート部材４と異なり、台形に形成されている。詳細には、シート部材４’の上辺が３０８ｍｍ、下辺が３２０ｍｍ、高さが９００ｍｍに形成されている。これは、電柱２が下側から上側にいくにつれて細くなるように形成されているため、シート部材４’を電柱２に巻きつけた際の上辺側と下辺側との径の違いを考慮したものである。このような台形状の外形は、上述した実施形態１に係るシート部材４に適用することも可能である。なお、本発明に係る蔓性植物巻き付き防止具は、上記に記載の寸法で構成されるシート部材で構成されるものに限定されるものではない。
【００４８】
＜実施形態２＞
以下、本発明の第二実施形態について説明する。なお、説明の便宜上、上述した第一実施形態と同様の構成要素については同一の符号を付し、その詳細な説明を省略する。
【００４９】
図６において、本実施形態に係る蔓性植物巻き付き防止具１１を取り付けた電柱２を示す。図６において示すように、本実施形態に係る蔓性植物巻き付き防止具１１は、電柱２
の側面のうち接地線３の部分のみを覆っている点で、電柱２の側面を周回するようにシート部材４を巻き付けた第一実施形態に係る蔓性植物巻き付き防止具１と異なる。
【００５０】
図７は、電柱２に取り付けられた蔓性植物巻き付き防止具１１の拡大図である。図７において示すように、蔓性植物巻き付き防止具１１は、電柱２の側面や接地線３を覆うカバー部材１２、およびカバー部材１２を電柱２に固定する固定バンド５（本発明でいう、固定部に相当する）を備える。カバー部材１２は、上述した第一実施形態と同様、電柱２に等間隔で設けられた足場ボルトの間に配置する。
【００５１】
図８は、カバー部材１２の斜視図である。図８（ａ）はカバー部材１２を電柱に接する面の側から見た斜視図を示しており、図８（ｂ）はカバー部材１２を電柱に接しない面の側から見た斜視図を示している。図８において示すように、カバー部材１２は、電柱２や接地線３を覆う役割を司る本体部１３、および電柱２と接地線３と本体部１３との間の隙間を無くすガード部１４（本発明でいう、弾性部に相当する）を備える。
【００５２】
本体部１３は、光不透過性の樹脂で構成されており、半円筒状の外形を有する。本体部１３は、円筒の内側に相当する面が電柱２および接地線３に向く状態で電柱２に取り付けられることにより、電柱２や接地線３を覆う。本体部１３は、長手方向の長さが９００ｍｍ、横幅が５０ｍｍ、厚さが３０ｍｍで構成されている。また、本体部１３は、固定バンド５を挿通するための穴６が適宜設けられている。また、本体部１３は、表面が平滑に形成されている。よって、上述した第一実施形態に係るシート部材４と同様、蔓性植物が本体部１３の表面を這って成長するのを防ぐことができる。なお、本発明に係る蔓性植物巻き付き防止具の本体部は、上記に記載の寸法で構成されるものや、穴が設けられたもの、表面が平滑に形成されたものに限定されない。
【００５３】
ガード部１４は、変形可能な半円柱状のスポンジ部材で構成されており、本体部１３の内側の両端に取り付けられている。ガード部１４は、カバー部材１２が電柱２に取り付けられた際、電柱２と接地線３の外形に合わせて変形することにより電柱２と接地線３と本体部１３との間の隙間を無くす。ガード部１４は、電柱２と接地線３と本体部１３との間の隙間を無くすことにより、接地線３に巻き付いて成長する蔓性植物が電柱２と本体部１３との間に入るのを防ぐ。なお、本体部１３が光不透過性の樹脂で構成されているため、蔓性植物がガード部１４を超えて電柱２と本体部１３との間の隙間に入った場合であっても光合成を阻止して蔓性植物の成長を防ぐことができる。
【００５４】
本実施形態に係る蔓性植物巻き付き防止具１１の構成は、以上の通りである。次に、蔓性植物巻き付き防止具１１の取り付け方法を説明する。
【００５５】
作業者は、蔓性植物巻き付き防止具１１を電柱２に取り付けるにあたり、まず、固定バンド５を穴６に通す。次に、作業者は、蔓性植物巻き付き防止具１１のカバー部材１２を、２つのガード部１４がそれぞれ接地線３に当たる状態で電柱２に押し当てる。作業者は、カバー部材１２を電柱２に押し当てた状態で固定バンド５を締めつける。これにより、蔓性植物巻き付き防止具１１の取り付けが完了する。
【００５６】
以上、本実施形態に係る蔓性植物巻き付き防止具１１によれば、カバー部材１２にガード部１４が設けられているので、接地線３に巻き付いた蔓性植物が本体部１３と電柱２との間に入って電柱２の上の方に成長することがなくなる。また、万が一ガード部１４が破損等した場合であっても、本体部１３と電柱２との間に入った蔓性植物の成長を止めることができる。
【００５７】
＜実施形態２の変形例＞
以下、上述した第二実施形態の変形例について説明する。図９において、本変形例に係る蔓性植物巻き上がり防止具１１’を示す。上述した第二実施形態に係る蔓性植物巻き上がり防止具１１’は、スポンジ部材で構成されたガード部１４を備えることにより、本体部１３と電柱２との間に蔓性植物が入るのを防止していた。本変形例に係る蔓性植物巻き上がり防止具１１’は、カバー部材１２’の長手方向両端部が電柱２および接地線３の外形に沿うように形成されている点で、上述の第二実施形態と相違する。なお、本変形例において、上述した第二実施形態と同様の構成要素については同一の符号を付し、その詳細な説明を省略する。
【００５８】
図１０は、本変形例に係るカバー部材１２’を示す図である。図１０（ａ）はカバー部材１２’を電柱に接する側から見た斜視図を示しており、図１０（ｂ）はカバー部材１２’を電柱に接しない側から見た斜視図を示しており、図１０（ｃ）はカバー部材１２’の上視図を示している。図１０において示すように、カバー部材１２’は、電柱２や接地線３を覆う役割を司る本体部１３’および電柱２と接地線３と本体部１３’との間の隙間を無くすガード部１４’が光不透過性の樹脂で一体成形されている。
【００５９】
本体部１３’は、上述した第二実施形態に係る本体部１３と同様、光不透過性の材料で半円筒状の外形を有するように形成されており、穴６が適宜設けられている。
【００６０】
ガード部１４’は、本体部１３’の長手方向の両端をドーム状に覆うように形成されている。ガード部１４’は、電柱２と接地線３の形状に沿うように形成されている。すなわち、ガード部１４’の縁が電柱２の周壁に沿うように湾曲しており、更に、この湾曲したガード部１４’の縁の一部に接地線３を嵌めるための切り欠きが設けられている。これにより、カバー部材１２’を電柱２に取り付けた際、本体部１３’と電柱２と接地線３との間の隙間が塞がれ、蔓性植物の成長を阻むことができる。
【００６１】
本変形例に係る蔓性植物巻き上がり防止具１１’によれば、上述した第二実施形態に係る効果と同等の効果の他、カバー部材１２’の本体部１３’とガード部１４’とを同一の材料で一体成形することによる製造コストの低減を図ることができる。
【図面の簡単な説明】
【００６２】
【図１】第一実施形態の蔓性植物巻き上がり防止具の取り付け状態を示す図である。
【図２】図１の要部拡大図である。
【図３】第一実施形態に係るシート部材を示す図である。
【図４】変形例に係る蔓性植物巻き上がり防止具の取り付け状態を示す図である。
【図５】変形例に係るシート部材を示す図である。
【図６】第二実施形態の蔓性植物巻き上がり防止具の取り付け状態を示す図である。
【図７】図６の要部拡大図である。
【図８】カバー部材の斜視図である。
【図９】変形例に係る蔓性植物巻き上がり防止具の取り付け状態を示す図である。
【図１０】変形例に係るカバー部材を示す図である。
【符号の説明】
【００６３】
１，１’，１１，１１’・防止具
２・・・・・・・・・・・電柱
３・・・・・・・・・・・接地線
４，４’・・・・・・・・シート部材
５・・・・・・・・・・・固定バンド（固定部）
６・・・・・・・・・・・穴
１２，１２’・・・・・・カバー部材
１３，１３’・・・・・・本体部
１４，１４’・・・・・・ガード部
【図１】
2008035686.tif 000003
【図２】
2008035686.tif 000004
【図３】
2008035686.tif 000005
【図４】
2008035686.tif 000006
【図５】
2008035686.tif 000007
【図６】
2008035686.tif 000008
【図７】
2008035686.tif 000009
【図８】
2008035686.tif 000010
【図９】
2008035686.tif 000011
【図１０】
2008035686.tif 000012